(57)【要約】  呼吸療法とともに血液酸素化情報を使用するシステム及び方法が提供される。これらのシステム及び方法は、患者インタフェースを介して患者にガスの流れを提供することを含み得る呼吸療法を患者（１１９）に提供し得る。そして、患者の血液酸素化情報が取得される。そして、呼吸療法を調整するため、患者の診断を前進させるため、あるいはその他の目的のために、血液酸素化情報が用いられる。
2014518645.tif 000002
【特許請求の範囲】
【請求項１】
ガスの流れを生成する圧力発生器；
前記圧力発生器に接続され且つ患者インタフェースを有する送達導管であり、前記患者インタフェースに接続された患者に前記ガスの流れを送り届ける送達導管；
前記患者インタフェースに統合され、前記患者の血液酸素化情報を測定するセンサ；及び
前記圧力発生器を制御し、前記患者の前記血液酸素化情報を受信し、受信した前記血液酸素化情報に基づく前記患者に関するアクションを起こすコントローラ；
を有する呼吸療法装置。
【請求項２】
起こされる前記アクションは、前記血液酸素化情報に少なくとも部分的に基づく、前記圧力発生器の動作の制御の変更を含む、請求項１に記載の呼吸療法装置。
【請求項３】
起こされる前記アクションは、受信した前記血液酸素化情報に少なくとも部分的に基づく、前記患者の診断の前進を含む、請求項１に記載の呼吸療法装置。
【請求項４】
前記センサは、反射率に基づくセンサ又は透過率に基づくセンサのうちの一方である、請求項１に記載の呼吸療法装置。
【請求項５】
前記血液酸素化情報は前記患者のヘモグロビンの酸素飽和度である、請求項１に記載の呼吸療法装置。
【請求項６】
呼吸療法を提供する方法であって：
呼吸療法システムの患者インタフェースを用いて患者に呼吸療法を提供するステップ；
前記患者インタフェースに統合されたセンサを用いて前記患者の血液酸素化情報を測定するステップ；及び
受信した前記血液酸素化情報に基づいて前記患者に関するアクションを起こすステップ；
を有する方法。
【請求項７】
前記アクションを起こすステップは、前記血液酸素化情報に少なくとも部分的に基づいて、前記呼吸療法を変更することを含む、請求項１に記載の方法。
【請求項８】
前記アクションを起こすステップは、受信した前記血液酸素化情報に少なくとも部分的に基づいて、前記患者の診断を前進させることを含む、請求項１に記載の方法。
【請求項９】
前記血液酸素化情報を測定するステップは、反射率に基づくセンサ又は透過率に基づくセンサのうちの一方を用いて前記血液酸素化情報を測定することを含む、請求項１に記載の方法。
【請求項１０】
前記血液酸素化情報は前記患者のヘモグロビンの酸素飽和度である、請求項１に記載の方法。
【請求項１１】
ガスの流れを生成する手段；
患者インタフェースを介して患者に前記ガスの流れを送達する手段；
前記患者インタフェースに統合され、前記患者の血液酸素化情報を測定する手段；及び
前記ガスの流れを生成する手段を制御し、前記患者の前記血液酸素化情報を受信し、受信した前記血液酸素化情報に基づく前記患者に関するアクションを起こすコントローラ手段；
を有する呼吸療法装置。
【請求項１２】
起こされる前記アクションは、前記血液酸素化情報に少なくとも部分的に基づく、前記圧力発生器の動作の制御の変更を含む、請求項１１に記載の呼吸療法装置。
【請求項１３】
起こされる前記アクションは、受信した前記血液酸素化情報に少なくとも部分的に基づく、前記患者の診断の前進を含む、請求項１１に記載の呼吸療法装置。
【請求項１４】
前記血液酸素化情報を測定する手段は、反射率に基づくセンサ又は透過率に基づくセンサのうちの一方である、請求項１１に記載の呼吸療法装置。
【請求項１５】
前記血液酸素化情報は前記患者のヘモグロビンの酸素飽和度である、請求項１１に記載の呼吸療法装置。
【発明の詳細な説明】
【技術分野】
【０００１】
本開示は、呼吸補助とともに血液酸素化情報を使用するシステム及び方法に関し、特に、呼吸補助システムの患者インタフェースへの血液酸素化センサの統合に関する。
【背景技術】
【０００２】
呼吸療法を届けることは、しばしば、１つ以上のファクタに基づいて患者にカスタマイズされている。それらのファクタは、患者の初期診断、年齢、体重、身体状態、及び／又はその他のファクタを含み得る。しかしながら、しばしば、医師及びその他の介護者は、呼吸療法を適切にカスタマイズするために自身の経験及び／又は試行錯誤を用いなければならない。従って、呼吸療法のカスタマイズをガイドする測定可能な指標を使用することが有利となり得る。パルスオキシメトリ（パルス酸素測定）データは患者の血液の酸素化に関するものであり、このデータは、患者に合わせて呼吸療法を調整すること、呼吸療法に呼応した診断データを提供すること、及びその他の用途に有用となり得る。パルスオキシメトリ素子を内蔵したシステムは、更なる臨床上の利点及びロジスティックな利点をもたらし得る。故に、マスク又はその他の患者インタフェースに統合されたセンサによって血液酸素化データを呼吸療法システム及び方法に結合することが有利となり得る。
【発明の概要】
【発明が解決しようとする課題】
【０００３】
呼吸療法とともに血液酸素化情報を使用するシステム及び方法を提供する。
【課題を解決するための手段】
【０００４】
従って、本発明の１つ以上の実施形態の１つの目的は、ガスの流れを生成する圧力発生器と、圧力発生器に接続され且つ患者インタフェースを有する送達導管であり、患者インタフェースに接続された患者にガスの流れを送り届ける送達導管と、患者インタフェースに統合され、患者の血液酸素化情報を測定するセンサと、圧力発生器を制御し、患者の血液酸素化情報を受信し、受信した血液酸素化情報に基づく患者に関するアクションを起こすコントローラと、を有する呼吸療法装置を提供することである。
【０００５】
本発明の１つ以上の実施形態の他の一態様は、呼吸療法システムの患者インタフェースを用いて患者に呼吸療法を提供し、患者インタフェースに統合されたセンサを用いて患者の血液酸素化情報を測定し、受信した血液酸素化情報に基づいて患者に関するアクションを起こす、ことを有する呼吸療法を提供することである。
【０００６】
１つ以上の実施形態の更なる他の一態様は、ガスの流れを生成する手段と、患者インタフェースを介して患者にガスの流れを送達する手段と、患者インタフェースに統合され、患者の血液酸素化情報を測定する手段と、ガスの流れを生成する手段を制御し、患者の血液酸素化情報を受信し、受信した血液酸素化情報に基づく患者に関するアクションを起こすコントローラ手段と、を有する呼吸療法装置を提供することである。
【０００７】
本発明のこれら及びその他の目的、特長及び特徴、並びに構造物及び部分の組み合わせの関連要素の動作方法及び機能、並びに製造経済が、添付図面を参照しながら以下の説明及び添付の特許請求の範囲を考察することで、より一層と明らかになる。図は全て本明細書の一部を形成するものであり、様々な図における対応する部分を似通った参照符号が指し示す。しかしながら、明確に理解されるように、図面は単に例示及び説明のためのものであり、本発明の範囲を定めるものとして意図されたものではない。
【図面の簡単な説明】
【０００８】
【図１】本発明の様々な実施形態に従った、呼吸療法とともに血液酸素化情報を使用するシステムの一例を示す図である。
【図２】本発明の様々な実施形態に従った、呼吸療法とともに血液酸素化情報を使用するプロセスの一例を示す図である。
【発明を実施するための形態】
【０００９】
ここでは、単数形の“ａ”、“ａｎ”及び“ｔｈｅ”は、文脈によって異なることが明瞭に指し示されない限り、指示対象が複数であることを含んで使用される。ここでは、２つ以上の部分又は構成要素が“結合される”という記述は、結び付きが生じる限り、それらの部分が、直接的に、あるいは間接的に（すなわち、１つ以上の介在する部分又は構成要素を介して）、の何れかで共に一緒にされ、あるいは共に動作することを意味する。ここでは、“直接的に結合される”は、２つの要素が互いに直に接触することを意味する。ここでは、“固定的に結合される”又は“固定される”は、２つの構成要素が互いに対して一定の向きを維持しながら一体として移動するように結合されることを意味する。
【００１０】
ここでは、用語“ユニタリ”は、或る構成要素がシングルピース（一片）又はシングルユニット（一個）として作り出されることを意味する。すなわち、別々に作り出されたのちに１つのユニットとして共に結合される複数のピースを含む構成要素は、“ユニタリ”な構成要素又は塊ではない。ここでは、２つ以上の部分又は構成要素が互いに“係合する”という記述は、それらの部分が互いに対して、直接的に、あるいは１つ以上の介在する部分又は構成要素を介して、の何れかで力を及ぼすことを意味する。ここでは、用語“個数”は、１、又は２以上の整数（すなわち、複数）を意味する。
【００１１】
例えば、限定ではなく、頂部、底部、左、右、上、下、正面、背面、及びこれらの派生形など、ここで使用される方向表現は、そこに明示されない限り、図面に示された要素の向きに関してのものであり、請求項を限定するものではない。
【００１２】
一部の実施形態において、呼吸療法とともに血液酸素化情報を使用するシステム及び方法が提供される。図１は、呼吸療法とともに血液酸素化情報を使用するシステムの一例であるシステム１００を示している。システム１００は、圧力（又はフロー）発生器１０１、送達導管１０３、患者インタフェース１０５、コントローラ１０７、血液酸素化センサ１０９、及び／又はその他の要素を含み得る。
【００１３】
圧力発生器１０１は、例えば、従来からの気道陽圧（ＰＡＰ）療法、持続的気道陽圧（ＣＰＡＰ）療法、換気装置、又はその他の呼吸療法装置などで使用されるブロワーであるか、あるいはそれを含むかし得る。圧力発生器１０１は、例えば、酸素若しくは空気の加圧タンク、周囲雰囲気、又はこれらの組み合わせなどの好適な気体源から呼吸ガスを受け得る。圧力発生器１０１は、所望の圧力での患者の気道への送達のため、例えば空気、酸素、又はこれらの混合物などの呼吸ガスのフロー（流れ）を生成し得る。圧力発生器１０１は、例えば、それに付随するファンの速度の変化を介して、且つ／或いはその他の方法を介して、患者回路内の呼吸ガスのフロー及び／又は圧力を制御するために使用され得る。
【００１４】
送達導管１０３は、患者インタフェース１０５を介して患者に呼吸ガスを送達するよう、圧力発生器１０１に接続される。患者インタフェース１０５は、マスク、鼻カニューレ、侵襲的な導管（挿管を介して、あるいは経気管的に挿入される）、又はその他の患者インタフェースを含み得る。送達導管１０３及び患者インタフェース１０５は、“患者回路”として参照され得る。
【００１５】
コントローラ１０７は、１つ以上の処理装置（例えば、マイクロプロセッサ若しくはマイクロコントローラ）、付随するメモリ、入力／出力ポート、及び／又は、データの受信及び処置と、計算の実行と、圧力発生器１０１及び／又はシステム１００のその他のコンポーネントを制御するためのコマンドの形成及び発行とを行うことが可能なその他の機構であるか、あるいはそれらを含むかし得る。
【００１６】
血液酸素化センサ１０９は、患者の血液酸素化情報を測定する何らかのセンサであるか、あるいはそれを含むかし得る。一部の実装例において、血液酸素化情報は、患者のヘモグロビンの酸化（すなわち、ＳｐＯ２）をモニタする非侵襲的な方法であるパルスオキシメトリ（パルス酸素測定）の情報であるか、あるいはそれを含むかし得る。パルスオキシメトリは、より侵襲的な血液ガス測定値取得方法（例えば、多くの理由であまり望ましくない動脈、静脈若しくは毛細血管での採血など）の１つの代替手段である。一部の実施形態において、血液酸素化センサ１０９は、患者の皮膚表面上に光（例えば、赤色光及び赤外光）を放射する発光部と、患者の皮膚表面から反射された放射光を検出するように位置付けられた光検出部と、を含んだ非侵襲センサ（すなわち、反射率に基づくセンサ）を有し得る。一部の実施形態において、光検出部は、患者の皮膚を通り抜けた放射光を検出するように位置付けられてもよい（すなわち、透過率に基づくセンサ）。そして、血液酸素化センサ１０９は、患者の皮膚によって吸収された光に基づいて血液酸素化情報を決定する。使用され得る血液酸素化センサの一例は、Ｎｏｎｉｎ  Ｍｅｄｉｃａｌ社によって製造されているものを含む。その他の血液酸素化センサも使用され得る。
【００１７】
一部の実施形態において、血液酸素化センサ１０９は患者インタフェース１０５内に統合され得る。例えば、鼻や前額部の表面上又はストラップ上などで完全な皮膚接触が為されて常に維持され得る場合、マスクインタフェース上に反射率ベースの血液酸素化センサが配置され得る（例えば、患者インタフェースのストラップが患者の耳の上、表面又は付近を通るとき、耳たぶパッチ又は耳たぶクリップが使用され得る）。一部の実施形態において、患者１１９の皮膚上に光を放射することができ、且つ透過した光を検知するようにセンサが位置付けられるように、例えば患者の鼻上（例えば、鼻枕マスク内）又は耳たぶクリップ上（例えば、患者の耳の上、表面又は付近を通る患者インタフェースのストラップ上）などに、透過率ベースの血液酸素センサが配置され得る。血液酸素化センサ１０９のその他の配置も使用され得る。
【００１８】
システム１００はまた、患者回路上（例えば、送達導管１０３上）に配置して、患者回路内の気体のフロー及び／又は圧力の制御を可能にする１つ以上のバルブ（例えば、バルブ１１１）を含み得る（患者回路内の気体のフロー及び／又は圧力を制御することには、圧力発生器１０１の制御も用いられ得る）。システム１００はまた、患者回路上（例えば、送達導管１０３上）に配置して、患者回路内の気体のフロー及び／又は圧力の決定を可能にする１つ以上のフロー及び／又は圧力センサ（例えば、センサ１１３）を含み得る。
【００１９】
一部の実施形態において、システム１００は表示装置１１７を含むことができ、表示装置１１７は、例えば陰極線装置、液晶表示装置、発光ダイオード（ＬＥＤ）表示装置、又はその他の表示装置など、電子的なコンピュータ実装ディスプレイであるか、それを含むかし得る。表示装置１１７は、臨床医又はその他のユーザに、例えば、呼吸療法に関する情報、血液酸素化レベルに関する情報、提案される行動指針に関する情報、患者の診断に関する情報、警報、警告、又はその他の情報などの、情報を提示するために使用され得るグラフィカルユーザインタフェース（ＧＵＩ）を可能にし得る。表示装置１１７はまた、臨床医又はその他のユーザに入力装置（例えば、タッチスクリーン）を提供してもよい。その他の入力装置（例えば、キーパッド、キーボード、マウスなど）も使用され得る。一部の実施形態において、それとともに、あるいはそれに代えて、システム１００からの情報は、１つ以上の別個且つ／或いは遠隔のコンピューティング装置又はコンピュータアプリケーションへと出力され得る。例えば、一部の例において、システム１００からの情報は、ネットワーク（インターネットであるか、それを含むかし得る）を横切って１つ上の宛先（例えば、ＥｎｃｏｒｅＡｎｙｗｈｅｒｅ（登録商標））へ送られ、且つ／或いは、１つ以上のウェブサイト又はその他のインタフェースからインターネット上で臨床医又はその他のユーザにアクセス可能にされ得る。
【００２０】
一部の実施形態において、圧力発生器１０１、血液酸素化センサ１０９、バルブ１１１、センサ１１３、及び／又はシステム１００のその他の要素は、コントローラ１０７がこれらの要素のうちの１つ以上から情報を受信し且つそれらにコマンドを発するように、動作的にコントローラ１０７に接続される。一部の実装例において、コントローラ１０７は１つ以上のモジュール１１５ａ−１１５ｎを含み得る。モジュール１１５ａ−１１５ｎは、ここに記載の機構又は機能のうちの１つ以上をコントローラ１０７の１つ以上の処理装置に実行させる、１つ以上のソフトウェアプログラム、コンピュータ実行可能命令、及び／又はデータを含むか、有するかし得る。例えば、モジュール１１５ａ−１１５ｎは：血液酸素化センサ１０９から血液酸素化センサを受信し；センサ１１３から送達導管１０３に関するガスフロー及び／又はガス圧力のデータを受信し；１つ以上の計算、比較及び／又は決定を実行し；受信したデータ（及び／又はその他のデータ）に（少なくとも部分的に）基づいて圧力発生器１０１、バルブ１１１及び／又はその他のシステムコンポーネントを制御し；受信したデータ、及び／又は計算、比較若しくは決定の結果を（例えば、表示装置１１７上のＧＵＩを介して）出力し；且つ／或いはその他の機構又は機能を可能にする１つ以上のモジュールを含み得る。モジュール１１５ａ−１１５ｎの命令は、コントローラ１０７の１つ以上のプロセッサに動作的に接続された、あるいはそれらと連通した、ハードディスク、ＥＰＲＯＭ、ＥＥＰＲＯＭ、その他の不揮発性メモリ、又はその他のメモリ／ストレージデバイスに格納され得る。
【００２１】
圧力補助に関連して血液酸素化情報を使用する方法も提供され得る。図２は、呼吸療法とともに血液酸素化情報を使用するプロセスの一例であるプロセス２００を示している。プロセス２００は、患者に呼吸療法が提供されるステップ２０１を含んでいる。呼吸療法は、気道陽圧（ＰＡＰ）療法、持続的、二相性（バイレベル）、若しくは可変的な気道陽圧療法（それぞれ、ＣＰＡＰ、ＢｉＰＡＰ、若しくはサーボベンチレーション）、ベンチレーション、又はその他の呼吸療法を含み得る。一部の実施形態において、呼吸療法は、例えばシステム１００などのここに記載のシステムを用いて患者に提供され得る。例えば、患者回路を介して患者に呼吸療法を提供するように、コントローラ１０７が、一組の命令（例えば、モジュール１１５ａ−１１５ｎのうちの１つ）に従って、圧力発生器１０１、バルブ１１１及び／又はその他のコンポーネントにコマンドを発し得る。
【００２２】
プロセス２００は、患者の血液酸素化情報が受信されるステップ２０３を含み得る。例えば、血液酸素化センサ（例えば、血液酸素化センサ１０９）を用いて、ＳｐＯ２測定結果（すなわち、患者のヘモグロビンの酸素飽和度）が取得され得る。この血液酸素化情報は、コントローラ（例えば、コントローラ１０７）へ送信され、それによって受信され得る。一例において、モジュール１１５ａ−１１５ｎのうちの１つのモジュールがＳｐＯ２測定結果の受信を可能にし得る。
【００２３】
一部の実施形態において、プロセス２００はステップ２０３からステップ２０５へと進み、そこで、受信された血液酸素化情報に従って呼吸療法が変更され得る。期待されるＳｐＯ２レベルより低いことは、所与の治療レベルでは十分でなく、気道確保を維持するには更なる圧力が必要である、ということを指し示すインジケーションであり得る。例えば、所与の閾値より低いＳｐＯ２レベルは、呼吸療法の圧力要素の変更（例えば、気道確保を維持することで患者のＳｐＯ２レベルを上昇させることを試みての圧力の増大）をトリガーし得る。他の一例において、期待されるＳｐＯ２レベルより低いことは、ＳｐＯ２レベルを上昇させるように患者の呼吸頻度を増やすことをトリガーし得る。逆に、閾レベルより高いＳｐＯ２レベルも、一貫したＳｐＯ２レベルと患者の呼吸の安定化とをもたらす加圧治療の呼吸頻度の変更（例えば、頻度を下げること）をトリガーし得る。受信されたＳｐＯ２レベルに基づいて、その他の変更が行われてもよい。
【００２４】
他の一例において、期待されるＳｐＯ２レベルより低いことは、現在の治療モード（例えば、ＣＰＡＰ）が患者の呼吸ニーズを十分に補助していない、例えば、より高機能の治療（例えば、自動サーボベンチレーション）が患者に必要とされ得る、ということのインジケーションであり得る。
【００２５】
ＳｐＯ２レベルはまた、心拍変動（Heart  Rate  Variability；ＨＲＶ）又はその他の心臓測定に関する情報を提供し得る。これらは、特定の治療又は治療モードに対する、患者／装置の同調性及び／又は患者の耐容性の指標となり得る。この情報を用いて、代替的なソリューションが、装置（例えば、コントローラ１０７又はモジュール１１５ａ−１１５ｎのうちの１つによって提供されるロジックにより）又はその後の臨床医の評価によって査定且つ／或いは提案され得る。
【００２６】
他の一例において、仮に、不調（例えば、睡眠障害の苦痛）を処置するのに適切な治療を受けているにもかかわらず、（急に、あるいは累積的に、）患者のＳｐＯ２レベルが所与の期間にわたって特定の閾値未満に低下する場合、患者を補助するために補足的な酸素を追加するように、臨床医（又はその他のユーザ）への表示のためにメッセージが生成され得る。目下の追加酸素が回路に加えられているが、その量が十分な酸素化を実現していない場合、増大が提言され得る。
【００２７】
一部の実装例において、コントローラ１０７の１つ以上のモジュール１１５ａ−１１５ｎによって、ステップ２０３の変更が可能にされ得る。例えば、これらのモジュールのうちの１つ以上が、少なくとも部分的にＳｐＯ２測定及び／又はその他の入力に基づく変更のための、１つ以上の閾レベル、ルックアップテーブル、ロジック、及び／又はその他の命令を格納し得る。
【００２８】
一部の実施形態において、ステップ２０５での呼吸療法の変更後、プロセス２００はステップ２０１に戻ることができ、変更された呼吸療法が患者に提供される。更なる血液酸素化測定とその後の変更とが行われ得る。従って、変更後に治療の提供及び血液酸素化の監視が続けられるので、血液酸素化情報を用いて呼吸療法の制御のためのフィードバックループが実現され得る。
【００２９】
一部の実施形態において、プロセス２００はステップ２０３からステップ２０７へと進むことができ、そこで、受信された血液酸素化レベルを単独あるいはその他のデータと共に用いて、患者の診断が提供されるか前に進められるかし得る。例えば、患者は、特定種類の呼吸療法を開始するのに先立って記録された基準となるＳｐＯ２レベルを有することがある。この特定種類の治療の提供を受けてもＳｐＯ２レベルが期待したように変化しない場合、特定の病理の診断が排除され得る。逆に、この特定種類の治療の提供を受けてＳｐＯ２レベルが期待したように、あるいは好ましいように変化した場合、特定の病理の診断が前に進められるか追認されるかし得る。上述のように、ＳｐＯ２レベルは所与の治療が適切かどうかを指し示すことができる。間欠的低酸素は、長期併存疾患（例えば、脳卒中、心不全、胃食道逆流症（ＧＥＲＤ）、糖尿病など）の原因となり得る。１０分間を超える特定の低ＳｐＯ２レベル（例えば、＜８８％）はその患者が追加の酸素に資することを示すということが補償ポリシーによって述べられているので、血液酸素センサからのフィードバックは有益となり得る。このように、治療に呼応してのＳｐＯ２データの使用及びこの目的での装置の使用は有益であり得る。
【００３０】
一部の実施形態において、これらの診断機能はコントローラ１０７の１つ以上のモジュール１１５ａ−１１５ｎによって可能にされ得る。例えば、これらのモジュールのうちの１つ以上が、少なくとも部分的にＳｐＯ２測定及び／又はその他の入力に基づいて診断関連情報を出力するための、１つ以上の閾レベル、ルックアップテーブル、アルゴリズム、及び／又はその他の命令を含み得る。一部の実装例において、１つ以上のモジュール１１５ａ−１１５ｎは、ＳｐＯ２測定結果の出力（例えば、表示装置１１７の画面／ＧＵＩ上の表示、ここに記載されるような別個の装置若しくはアプリケーションへの出力、又はその他の出力）を可能にすることで、その他の装置及び／又は臨床医が診断の結論を導き出すことを可能にし得る。
【００３１】
一部の実施形態において、ステップ２０７で診断が提供あるいは前進された後、プロセス２００はステップ２０５に進むことができ、そこで、診断結果を受けて呼吸療法が変更される。その後、プロセス２００はステップ２０１に戻ることができ、変更された呼吸療法が患者に提供される。更なる血液酸素化測定とその後の変更とが行われ得る。やはり、診断及び変更後に続けられる治療の提供及び血液酸素化の監視は、呼吸療法の操作のためのフィードバックループを提供する。
【００３２】
一部の実施形態において、ここに記載の方法のステップ群を含め、ここに説明される機構及び機能のうちの１つ以上を１つ以上のコンピュータプロセッサに実行させるコンピュータ実行可能命令を有する有形のコンピュータ読み取り可能媒体が提供され得る。
【００３３】
ここに記載のシステムは例示的なシステム構成である。その他の構成も存在し得る。当業者が認識するように、ここに記載の発明は、様々な構成を用いて正しく機能し得る。従って、上述のシステムコンポーネントは、多かれ少なかれ、様々な実施形態で使用され、且つ／或いは組み合わされ得る。これまた理解されるように、ここに記載の機能を遂行するために使用される様々なソフトウェアモジュール１１５ａ−１１５ｎは、所望あるいは所要のように、コントローラ１０７とは異なるコンポーネント上で維持管理されてもよい。他の実施形態において、認識されるように、ここに記載の機能は、ソフトウェアに加えて、あるいは代えて、様々な組合せに係るハードウェア及び／又はファームウェアで実装されてもよい。また、ここに記載の方法の様々なステップは、特定の順序で説明されてはいるものの、当業者に認識されるような異なる順序で実行されてもよい。一部の実施形態において、記載のステップより多くのステップ、又は少ないステップが用いられてもよい。
【００３４】
請求項において、括弧内に置かれた如何なる参照符号も、請求項を限定するものとして解釈されるべきでない。用語“有する”又は“含む”は、請求項に列挙されたもの以外の要素又はステップの存在を排除するものではない。複数の手段を列挙する装置クレームにおいて、それらの手段のうちの幾つかが単一且つ同一のハードウェア品目によって具現化されてもよい。要素の前に置かれた用語“ａ”又は“ａｎ”は、その要素が複数存在することを排除するものではない。複数の手段を列挙する如何なる装置クレームにおいて、それらの手段のうちの幾つかが単一且つ同一のハードウェア品目によって具現化されてもよい。特定の複数の要素が相互に異なる従属項に記載されているという単なる事実は、それらの要素が組み合わせて使用され得ないということを指し示すものではない。
【００３５】
最も実用的で好適な実施形態であると現時点で考えられるものに基づいて、例示目的で、本発明を詳細に説明したが、理解されるように、これらの詳細事項は単に例示目的でのものであり、本発明はここで開示した実施形態に限定されるものではない。対照的に、本発明は、添付の請求項の精神及び範囲内の変更及び均等構成に及ぶものである。例えば、理解されるように、或る実施形態の１つ以上の特徴が、可能な限りにおいて、他の実施形態の１つ以上の特徴と組み合わされ得ることは、本発明が意図するところである。
【図１】
2014518645.tif 000003
【図２】
2014518645.tif 000004
【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
ガスの流れを生成する圧力発生器；
前記圧力発生器に接続され且つ患者インタフェースを有する送達導管であり、前記患者インタフェースに接続された患者に前記ガスの流れを送り届ける送達導管；
前記患者インタフェースに統合され、前記患者の血液酸素化情報を測定するセンサ；及び
陽圧補助治療法に従って前記ガスの流れの１つ以上のパラメータを操作するよう前記圧力発生器を制御し、前記患者の前記血液酸素化情報を受信し、受信した前記血液酸素化情報に基づいて前記１つ以上のパラメータのうちの少なくとも１つを調整するコントローラ；
を有する呼吸療法装置。
【請求項２】
前記コントローラは、前記１つ以上のパラメータのうちの少なくとも１つを調整することが、前記患者の吸気中及び／又は呼気中に前記ガスの流れの圧力を調整するよう前記圧力発生器の動作を制御することを含むように構成される、請求項１に記載の呼吸療法装置。
【請求項３】
前記コントローラは、受信した前記血液酸素化情報に少なくとも部分的に基づいて前記患者の診断を前進させるように構成される、請求項１に記載の呼吸療法装置。
【請求項４】
前記センサは、反射率に基づくセンサ又は透過率に基づくセンサのうちの一方である、請求項１に記載の呼吸療法装置。
【請求項５】
前記血液酸素化情報は前記患者のヘモグロビンの酸素飽和度である、請求項１に記載の呼吸療法装置。
【請求項６】
呼吸療法を提供する方法であって：
圧力発生器を用いてガスの流れを生成し、呼吸療法システムの患者インタフェースを用いて患者に前記ガスの流れを提供するステップ；
前記患者インタフェースに統合されたセンサを用いて前記患者の血液酸素化情報を測定するステップ；及び
陽圧補助治療法に従って前記ガスの流れの１つ以上のパラメータを操作し、受信した前記血液酸素化情報に基づいて前記１つ以上のパラメータのうちの少なくとも１つを調整するステップ；
を有する方法。
【請求項７】
前記１つ以上のパラメータのうちの少なくとも１つを調整するステップは、前記患者の吸気中及び／又は呼気中に前記ガスの流れの圧力を調整することを含む、請求項６に記載の方法。
【請求項８】
受信した前記血液酸素化情報に少なくとも部分的に基づいて、前記患者の診断を前進させるステップ、を更に有する請求項６に記載の方法。
【請求項９】
前記血液酸素化情報を測定するステップは、反射率に基づくセンサ又は透過率に基づくセンサのうちの一方を用いて前記血液酸素化情報を測定することを含む、請求項６に記載の方法。
【請求項１０】
前記血液酸素化情報は前記患者のヘモグロビンの酸素飽和度である、請求項６に記載の方法。
【請求項１１】
ガスの流れを生成する手段；
患者インタフェースを介して患者に前記ガスの流れを送達する手段；
前記患者インタフェースに統合され、前記患者の血液酸素化情報を測定する手段；及び
陽圧補助治療法に従って前記ガスの流れの１つ以上のパラメータを操作するよう、前記ガスの流れを生成する手段を制御し、前記患者の前記血液酸素化情報を受信し、受信した前記血液酸素化情報に基づいて前記１つ以上のパラメータのうちの少なくとも１つを調整する手段；
を有する呼吸療法装置。
【請求項１２】
前記ガスの流れを生成する手段を制御する手段は、前記１つ以上のパラメータのうちの少なくとも１つを調整することが、前記患者の吸気中及び／又は呼気中に前記ガスの流れの圧力を調整するよう前記ガスの流れを生成する手段の動作を制御することを含むように構成される、請求項１１に記載の呼吸療法装置。
【請求項１３】
前記ガスの流れを生成する手段を制御する手段は、受信した前記血液酸素化情報に少なくとも部分的に基づいて前記患者の診断を前進させるように構成される、請求項１１に記載の呼吸療法装置。
【請求項１４】
前記血液酸素化情報を測定する手段は、反射率に基づくセンサ又は透過率に基づくセンサのうちの一方である、請求項１１に記載の呼吸療法装置。
【請求項１５】
前記血液酸素化情報は前記患者のヘモグロビンの酸素飽和度である、請求項１１に記載の呼吸療法装置。
【国際調査報告】
2014518645.tif 000005
2014518645.tif 000006
2014518645.tif 000007
2014518645.tif 000008
2014518645.tif 000009